(57)【要約】【課題】遊技機が設置されたホールにおいて、従業員等が遊技機のドアを開放する場合であっても、防犯上良好な状態を維持し得ると共に、従業員が容易に開閉動作を行ない得ると共に、メダルの補充作業を容易かつ円滑に行い得る遊技機のフロントドアを提供する。【解決手段】遊技機の筐体の前面部を開閉可能に被覆するフロントドアであって、遊技機の上下方向において分割形成され、上方ドアと、上記上方ドアとは独立して開閉可能に形成された下方ドアとを備える。上方ドアは、遊技機の筐体の内部に収納されたリールユニットを被覆し、下方ドアはメダルを収納するホッパー及び駆動電源部を被覆する。上記下方ドアを筐体から前方へ引いて開放すると、上記ホッパー及び上記補助タンクが下方ドアと共に上記筐体の前面側に表出するように構成されている。【選択図】        図２
2004298227.tif 000002
【特許請求の範囲】
【請求項１】
遊技機の筐体の前面部を開閉可能に被覆する遊技機のフロントドアであって、遊技機の上下方向において分割形成され、上方ドアと、上記上方ドアとは独立して開閉可能に形成された下方ドアとを備え、上記上方ドアは、遊技機の筐体の内部に収納されたリールユニットを被覆可能に開閉されると共に上記下方ドアは、上記筐体内部に収納された、メダルを収納するホッパー及び駆動電源部を開閉可能に被覆するように構成され、
上記下方ドアの裏面側には、上記駆動電源部、ホッパー及び、ホッパーからのメダルを受け得る補助タンクが固定され、
上記下方ドアは、上記駆動電源部、ホッパー及び上記補助タンクの前面側に配設されており、下方ドアを筐体から前方へ引いて開放した場合には、上記ホッパー及び上記補助タンクが下方ドアと共に上記筐体の前面側に表出し、上記下方ドアを筐体方向へ復帰させた場合には、上記ホッパー及び補助タンクも共に筐体内へ配置されるように構成されたことを特徴とする遊技機のフロントドア。
【請求項２】
上記下方ドアは、上記筐体の前後方向にスライド可能に配設されていることを特徴とする請求項１記載の遊技機のフロントドア。
【請求項３】
上記下方ドア、上記ホッパー及び補助タンクは、上記筐体の前後方向に沿って配置されたガイドレール上を前後方向にスライドし得るフレーム部に固定されると共に、上記上方ドアには、上記下方ドア及び上方ドアが閉止状態の場合に上記フレーム部の後方側に配置されるストッパ部が設けられていることを特徴とする請求項１又は２記載の遊技機のフロントドア。
【請求項４】
上記下方ドアは、上記上方ドアが閉止した状態でなければ開放できないように構成されていることを特徴とする請求項１，２又は３記載の遊技機のフロントドア。
【発明の詳細な説明】
【０００１】
【発明の属する技術分野】
本発明は、スロットマシン遊技機等の遊技機に設けられるフロントドアに係り、特に、上下２分割に形成され、独立して開閉可能に形成されたフロントドアに関する。
【０００２】
【従来の技術】
一般に、スロットマシン遊技機等の遊技機は、リールユニットが筐体上方部に配置されると共に、このリールユニットを駆動するための駆動電源部が筐体下方部に配設されると共に、上記リールユニットの下方には、メダルを収納して、ゲーム進行に応じて適宜、メダルを排出するホッパーが配置されている。
【０００３】
このような遊技機の筐体の前面部には、上記リールユニット、駆動電源部及びホッパー等を開閉可能に被覆するフロントドアが設けられている。
【０００４】
従来、このようなフロントドアは筐体の前面部全体を覆うように、１枚のドアとして構成されている。
【０００５】
そして、このようなフロントドアは上記筐体の左右いずれかの端部にヒンジを介して取り付けられており、左右いずれかの端部を手前に引くことによりフロントドアを上記ヒンジを介して回動させて開閉するように構成されている。
【０００６】
このようなフロントドアは、厚さ方向に沿って、複数種類の樹脂製のパネル部材を重ね合わせて接合して形成され、フロントドアを筐体に防犯可能に閉止しうるようにキーユニットを固定し、さらに、表面側パネルには操作部を設けると共に、様々なデザインパネルや、これらのデザインパネルを照射する蛍光管等を取り付け、、また、裏面側パネルには音響効果を上げるための大型のスピーカーを複数個固定して形成されている。また、複数枚の樹脂製のパネル部材を重ね合わせて接合するものではなく、型による一体成形により作製される場合もある。
【０００７】
従って、フロントドアそのものの重量の大きさも所定のものとなっており、設置されたホールにて従業員が上記フロントドアを開閉する際には、開閉そのものに労力を要する場合もあった。
【０００８】
また、上記のように、従来のフロントドアは、筐体前面を覆い得るように全体として１枚のドアとして形成されていたことから、例えば、ホールで従業員がメダルの補充等のためにフロントドアを開いた場合には、筐体内部の機構全体が外部に露出してしまい、特に、防犯上重要な、駆動電源部の配置がユーザーに判別されてしまうことから、防犯上の観点からは良好ではなかった。
【０００９】
このような観点から例えば、遊技機のフロントドアを上下２分割にして上方ドアと下方ドアとを個別に開閉することができるようにした遊技機も提案されていた（例えば、特許文献１参照）。
【００１０】
【特許文献１】
特開２００３−４７６８６号公報
【００１１】
【発明が解決しようとする課題】
しかしながら、このような遊技機にあっても、例えば、ホールの従業員が遊技機の筐体内部に配置されたホッパーにメダルを補充するために下方のドアを開放した場合にも、ホッパーを筐体内部から常時引き出してメダルを補充し、補充後はメダルが多量に入ったホッパーを筐体内に押し戻してから下方ドアを閉止しなければならず、メダルの補充作業が煩雑である、という不具合が存していた。そこで、本発明の課題は、遊技機が設置されたホールにおいて、従業員等が遊技機のドアを開放する場合であっても、防犯上良好な状態を維持し得ると共に、従業員が容易に開閉動作を行ない得ると共に、メダルの補充作業を容易かつ円滑に行い得る遊技機のフロントドアを提供する点にある。
【００１２】
【課題を解決するための手段】
前記課題を達成するために、本発明は以下の構成を有している。
即ち、本発明にあっては、遊技機の筐体の前面部を開閉可能に被覆する遊技機のフロントドアであって、遊技機の上下方向において分割形成され、上方ドアと、上記上方ドアとは独立して開閉可能に形成された下方ドアとを備え、上記上方ドアは、遊技機の筐体の内部に収納されたリールユニットを被覆可能に開閉されると共に上記下方ドアは、上記筐体内部に収納された、メダルを収納するホッパー及び駆動電源部を開閉可能に被覆するように構成され、上記下方ドアの裏面側には、上記駆動電源部、ホッパー及び、ホッパーからのメダルを受け得る補助タンクが固定され、上記下方ドアは、上記駆動電源部、ホッパー及び上記補助タンクの前面側に配設されており、下方ドアを筐体から前方へ引いて開放した場合には、上記ホッパー及び上記補助タンクが下方ドアと共に上記筐体の前面側に表出し、上記下方ドアを筐体方向へ復帰させた場合には、上記ホッパー及び補助タンクも共に筐体内へ配置されるように構成されたことを特徴とする。
【００１３】
従って、本発明にあっては、遊技機が設置されたホールにおいて、必要な場合には、従業員は上方ドアと下方ドアとを独立して開閉することができる。
【００１４】
その結果、従来のように、遊技機の筐体の前面全体を被覆する所定の重量を有する大型のドアを開閉する必要はなく、ドアの開閉作業が容易となる。
【００１５】
また、本発明にあっては、上記上方ドアは、遊技機の筐体の内部に収納されたリールユニットを被覆可能に開閉されることを特徴とすることから、上記リールユニットの保守等を行う必要がある場合には、上方ドアのみを開けることにより保守作業を行うことができる。
【００１６】
また、本発明にあっては、上記下方ドアは、上記筐体内部に収納された、メダルを収納するホッパー及び駆動電源部を開閉可能に被覆するように構成され、また、本発明にあっては、上記下方ドアの裏面側には、上記駆動電源部、ホッパー及び、ホッパーからのメダルを受け得る補助タンクが固定されていることを特徴とする。
【００１７】
従って、本発明にあっては、遊技機が設置されたホールにおいて、従業員がメダルの補充作業を行う必要がある場合には、上記下方ドアのみを開放することにより作業を行うことができる。
【００１８】
その結果、本発明にあっては、ホールにおける従業員の、日常的な遊技機へのメダル補充作業の際に、遊技機の筐体の内部全体が外部に露出されることがなく、上記リールユニットを上方ドアにより被覆した状態でメダル補充の作業を行うことができることから、防犯上非常に有利である。
【００１９】
また、本発明にあっては、上記下方ドアは、上記駆動電源部、ホッパー及び上記補助タンクの前面側に配設されており、下方ドアを筐体から前方へ引いて開放した場合には、上記ホッパー及び上記補助タンクが下方ドアと共に上記筐体の前面側に表出し、上記下方ドアを筐体方向へ復帰させた場合には、上記ホッパー及び補助タンクも共に筐体内へ配置されるように構成されたことを特徴とする。
【００２０】
従って、本発明にあっては、ホールにおける従業員の、日常的な遊技機へのメダル補充作業の際に、下方ドアを開いた場合には、同時にホッパー及び上記補助タンクが下方ドアと共に上記筐体の前面側に表出することから、ホッパーが筐体よりも前面に配置された状態でメダルの補充作業を行うことができるため、従業員のメダル補充作業がより容易となる。
【００２１】
また、上記下方ドアを筐体方向へ復帰させた場合には、上記ホッパー及び補助タンクも共に筐体内へ配置されることから、メダルの補充作業が終了した場合には容易に筐体内部にホッパー及び補助タンクを筐体内部に配置させることが可能となる。
【００２２】
従って、従来のように、下方ドアを開放した後、さらに、ホッパーを筐体内部から引き出す作業が不要となると共に、メダル補充後は下方ドアの閉止動作により同時に、ホッパーを筐体内部に配置することが可能となることから、本発明にあっては、メダルの補充作業を容易かつ迅速に行うことができる遊技機を提供することができる。
【００２３】
また、本発明にあっては、上記下方ドアは、上記筐体の前後方向にスライド可能に配設されていることを特徴とする。
【００２４】
従って、本発明にあっては、従来の遊技機のフロントドアのように、筐体の左右いずれかの側に設けられたヒンジにより水平方向に回動して開閉操作するものではなく、遊技機の前方へ引き出すことにより下方ドアを開き、遊技機に向かって押すことにより閉止することができることから、メダル補充作業時に、従業員にとって容易にドアの開閉作業を行うことができる。
【００２５】
また、従来の遊技機のフロントドアとは異なり、フロントドアが遊技機前方において、ヒンジ部を中心に水平方向に回転する空間を必要としないことから、フロントドア開放に必要な遊技機前方の空間をより減少させることができ、ホールにおける遊技機前方における椅子等の配置の自由度を得ることが可能となる。
【００２６】
また、本発明にあっては、上記下方ドア、上記ホッパー及び上記補助タンクは、上記筐体の前後方向に沿って配置されたガイドレール上を前後方向にスライドし得るフレーム部に固定されると共に、上記上方ドアには、上記下方ドア及び上方ドアが閉止状態の場合に上記フレーム部の後方側に配置されるストッパ部が設けられていることを特徴とする。
【００２７】
その結果、本発明にあっては、上記フレーム部の前面側に固定された下方ドアの開閉作業を行う場合には、下方ドアを遊技機前方又は後方にスライドさせることにより、上記フレーム部は筐体内部に固定されたガイドレール上をスライドし前後動することから、円滑に開閉作業を行うことができる。
【００２８】
また、本発明にあっては、上記下方ドアは、上記上方ドアが閉止した状態でなければ開放できないように構成されていることを特徴とする。
【００２９】
従って、本発明に係る遊技機にあっては、下方ドアを開放する際には、必ず、上方ドアは閉止されていることとなり、従業員のメダル補充作業の際には、必ず、上方ドアは閉止され、内部のリールユニットは外部からは視認されない。
【００３０】
従って、本発明にあっては、日常的なホールにおけるメダル補充等による遊技機のフロントドアの開閉作業時において、より高い防犯性を確保することができる。
【００３１】
【発明の実施の形態】
以下、本発明の実施の形態に係る遊技機１のフロントドア２を添付図面に基づいて詳細に説明する。
まず、図１に示すように、本実施の形態に係る遊技機１はスロットマシン遊技機であって、そのフロントドア２は、遊技機１の筐体３の前面部を開閉可能に被覆する遊技機のフロントドアであって、図２に示すように、遊技機１の上下方向において分割形成され、上方ドア４と、上記上方ドア４とは独立して開閉可能に形成された下方ドア５とを備えている。
そして、図２に示すように、上記上方ドア４は、遊技機１の筐体３の内部に収納されたリールユニット６を被覆可能に開閉されるものである。
また、図２に示すように、上記下方ドア５は、上記筐体３内部に収納された、メダルを収納するホッパー７及び駆動電源部８を開閉可能に被覆するように構成されている。
また、図２に示すように、上記下方ドア５の裏面側には、上記駆動電源部８、ホッパー７及び、ホッパー７からのメダルを受け得る補助タンク９が固定されている。
また、図２に示すように、上記下方ドア５は、上記駆動電源部８、ホッパー７及び上記補助タンク９の前面側に配設されており、下方ドア５を筐体３から前方へ引いて開放した場合には、上記ホッパー７及び上記補助タンク９が下方ドア５と共に上記筐体３の前面側に表出し、上記下方ドア５を筐体３方向へ復帰させた場合には、上記ホッパー７及び補助タンク９も共に筐体３内へ配置されるように構成されている。
また、上記下方ドア５は、上記上方ドア４が閉止した状態でなければ開放できないように構成されている。
また、上記下方ドア５、上記ホッパー７及び補助タンク９は、上記筐体３の前後方向に沿って配置されたガイドレール１０上を前後方向にスライドし得るフレーム部１１に固定されると共に、上記上方ドア４には、上記下方ドア５及び上方ドア４が閉止状態の場合に上記フレーム部１１の後方側に配置されるストッパ部１２が設けられている。
また、図２に示すように、上記下方ドア５は、上記筐体３の前後方向にスライド可能に配設されている。
【００３２】
上記遊技機１のフロントドア２は、図１に示すように、遊技機１の筐体３の前面部を開閉可能に被覆している。
【００３３】
そして、上記フロントドア２は、図２に示すように、遊技機１の上下方向において分割形成されている。すなわち、上記フロントドア２は、上方ドア４と、下方ドア５から成り、上記上方ドア４と上記下方ドア５は互いに独立して開閉可能に形成されている。
【００３４】
上記筐体３の内部における上方部には、図２に示すように、リールユニット６が収納されている。このリールユニット６は、上記上方ドア４の裏側に配置されている。したがって、上記上方ドア４は、遊技時には、上記リールユニット６を被覆しており、上記上方ドア４を開かない限り上記リールユニット６は外部からは視認不能である。
【００３５】
なお、上記リールユニット６は、図２に示すように、３体のリール１３ａ，１３ｂ，１３ｃと、そのリール１３ａ，１３ｂ，１３ｃの回転等をゲームプログラムに従って制御管理するマイクロコンピュータを構成する主基板１４及びサブ基板１５等を一体にしてユニット化した構成になっている。このマイクロコンピュータには制御主体であるＣＰＵ、プログラムや固定データを記憶するＲＯＭ、データの読み書きを行なうＲＡＭなどが搭載され、上記ＣＰＵには、乱数発生器等の所要の機器、乱数サンプリング回路を含む抽選回路等の所要の各種制御回路、及び各種センサなどが接続されている。なお、図示は省略するが、リール１３ａ，１３ｂ，１３ｃを回転させるステッピングモータや、その駆動回路もリール１３ａ，１３ｂ，１３ｃに組み込まれている。
【００３６】
上記上方ドア４は上記筐体３に対し、ヒンジ部４３ａ，４３ｂを介して水平方向に回動可能に連結され開閉可能となっている。
【００３７】
この上方ドア４は、図３に示すように、２つの開口部５４，５５を有する上部ベースパネル３１を有し、この上部ベースパネル３１の背面側においては、多数の小型のランプが固定されたランプ取付部材３２、ディスプレイカバー３３、上方フレーム３４、ヒンジフレーム３５、及びキーユニット３６が固定されている。
【００３８】
また、上記上部ベースパネル３１の前面側においては、上記開口部５４，５５に固定されるパネル部材５６，５７、上端部に固定される上方パネル３０、両側部に固定されるランプカバー部材５８ａ，５８ｂが取付けられる。
【００３９】
また、上記筐体３の内部における下方部には、メダルを収納するホッパー７と、上記ホッパー７から溢れたメダルを受け入れる補助タンク９と、駆動電源部８が収納されうるように構成されている。すなわち、上記下方ドア５は、上記駆動電源部８、上記ホッパー７及び上記補助タンク９の前面側に配され、それらを被覆しうるように配設されている。
【００４０】
図４に示すように、上記下方ドア５は、下方ドア本体部５３と、この下方ドア本体部５３の裏面側に配設されたフレーム部１１とを有する。
【００４１】
上記ホッパー７及び上記補助タンク９は、上記フレーム部１１に取り付けられ、上記駆動電源部８は上記筐体３の内部において、図２に示すように、上記筐体３の下端部の前方左端部に配置されている。
【００４２】
上記フレーム部１１は、図４に示すように、側面Ｌ字状に形成された本体部４５と、上記本体部４５の前方右側部に固定された側方ガイド枠部４６とにより構成されている。
【００４３】
上記本体部４５は、前面取付板部４７と底面板部４８とからなり、上記側方ガイド枠部４６は、上記前面取付板部４７及び底面板部４８の両側端部にそれぞれ固定されている。
【００４４】
そして、上記補助タンク９は、上記側方ガイド枠部４６に当接して、前方右端部において底面板部４８に固定されている。また、上記ホッパー７は、この補助タンク９の前方左側において、上記フレーム部１１が筐体３内に収納された場合に、上記駆動電源部８と当接しない部位に配設固定されている。
【００４５】
また、本実施の形態にあっては、上記底面板部４８の左端部には、フレーム部１１が筐体３内に収納された場合に、上記駆動電源部を前方側から被覆しうる電源カバー１６（図２参照）が設けられている。
【００４６】
上記下方ドア本体部５３は、基材となる下部ベースパネル４１を有し、上記前面取付板部４７は、下部ベースパネル４１に固定される。即ち、この下方ベースパネル４１の背面側においては、下方ドア５を開閉不可能に閉止しうるキーユニット４２及び、ホッパー７、補助タンク９及び電源カバー１６が取付けられた上記フレーム部１１等が固定される。
【００４７】
また、上記下方ベースパネル４１の前面側においては、上端部には、操作パネル３７が固定され、下端部には、灰皿付きパネル３８及びメダル払出口付きパネル４０がメダル受皿付きパネル３９を介して固定される。
【００４８】
そして、上記操作パネル３７と上記メダル受皿付きパネル３９との間には、固定枠パネル４９を介して化粧パネル２２が、下方ベースパネル４１の中央部に形成された開口部５０に固定される。
【００４９】
その結果、図１に示すように、上記下方ドア５の操作パネル３７の操作部１８には、操作ボタン１９ａ，１９ｂ，１９ｃ、スタートレバー２０及びメダル投入部２１等が設けられ、また、上記下方ドア５の表面中央部には、遊技者が視認しやすい部位には化粧パネル２２が配置され、また、下方ドア５の下端部にはメダル払出口２３、メダル受皿２４、灰皿２５、スピーカー２６等が設けられる。
【００５０】
また、図２及び図５に示すように、上記筐体３の両側面板５０，５１の下端部位、及び上記側方ガイド枠部４６の高さ寸法分上方に離間した部位には、筐体３の前後方向に沿って３本のガイドレール１０ａ、１０ｂ，１０ｃが設置され、そのガイドレール１０ａ、１０ｂ，１０ｃ上を前後方向にスライドしうるスライダ１７ａ，１７ｂ，１７ｃが配設され、上記フレーム１１の本体部４５の底面板部４８の左右両側部及び側方ガイド部４６の上端部は上記スライダ１７ａ，１７ｂ，１７ｃに固定され、上記ガイドレール１０ａ，１０ｂ，１０ｃ上を筐体３の前後方向にスライドし得るように構成されている。
【００５１】
従って、本実施の形態に係る遊技機１にあっては、通常時には、上記下方ドア５は閉止されており、上記フレーム部１１と共に上記ホッパー７及び補助タンク９は筐体３内において、駆動電源部８の側方に配置され、また、電源カバー１８は上記駆動電源部８を被覆している。
【００５２】
一方、上記下方ドア５を筐体３から前方へ引いて開放した場合には、フレーム部１１はスライダ１７ａ，１７ｂ，１７ｃによりガイドレール１０ａ，１０ｂ，１０ｃ上をスライドして、上記ホッパー７、上記補助タンク９及び上記電源カバー１６を下部ベースパネル４１と共に上記筐体３の前面側に突出させることができる。
【００５３】
また、上記下方ドア５を筐体３方向へ復帰させると、上記ホッパー７、上記補助タンク９及び上記電源カバー１６が筐体３内へ収納され、上記電源カバー１６は再び上記駆動電源部８を覆うことができる。
【００５４】
また、上記上方ドア４には、図２に示すように、上記下方ドア５及び上方ドア４が閉止状態の場合に上記下方ドア５に係止するストッパ片部１２が設けられている。このストッパ片部１２は下方へ突出する形状に形成されている。
【００５５】
即ち、上方ドア４の、ヒンジ部４３ａが設けられた左端下端部には下方へ突出する舌状のストッパ片部１２が設けられており、このストッパ片部１２は上方ドア４及び下方ドア５の双方が閉止している状態にあっては、図４に示す、上記下方ドア本体部５３の上縁部５９に係合するように構成されている。
【００５６】
その結果、上記ストッパ片部１２は、上記下方ドア５が閉じているときに、その下方ドア５に係止することにより、上記上方ドア４だけが単独で開くのを阻止することができるため、上記下方ドア５は、上記上方ドア４が閉止した状態では単独で開放することができるが、上記上方ドア４は上記下方ドア５が閉じた状態では開くことができない。
【００５７】
また、図１に示すように、上記上方ドア４の表面中央部には、上記パネル部材５６により形成されたリール視認窓２７が設けられ、表面上端部には、上記パネル部材５７により形成された、遊技者への各種情報やメッセージ等を表示するディスプレイ２８が設けられ、左右両側端部には複数のランプ２９が上下方向に配列されて設けられている。
【００５８】
また、上記下方ドア５は、図４に示すように、上記のホッパー７及び補助タンク９及びそれらを固定するフレーム部１１や化粧パネル２２の他に、上記の操作部１８を形成した操作パネル３７、灰皿付きパネル３８、メダル受皿付きパネル３９、メダル払出口付きパネル４０、ベースパネル４１、キーユニット４２等を厚さ方向に組み付けて構成されている。
【００５９】
【作用】
以下、本実施の形態に係る遊技機１の作用について説明する。
本実施の形態に係る遊技機１にあっては、通常時には、図１に示すように、上記下方ドア５は閉止されており、上記フレーム部１１と共に上記ホッパー７及び補助タンク９は筐体３内において、駆動電源部８の側方に配置され、また、電源カバー１８は上記駆動電源部８を被覆している。従って、この状態で遊技者はホール内において適宜、遊技を楽しむことができる。
【００６０】
その後、遊技の進行に応じて、上記ホッパー７のメダルを補充する必要が生じた場合には、ホールの従業員は、下方ドア５を遊技機１の前方へ引いて下方ドア５を開放させる。この場合、下方ドア５は、フレーム部１１に固定されたスライダ１７ａ，１７ｂ，１７ｃを介して、ガイドレール１０ａ，１０ｂ，１０ｃ上をスライドして筐体３の前方に開く。この時、上記フレーム部１１に固定されたホッパー７及び補助タンク９も同時に、筐体３の前方へ突出配置される。
【００６１】
従って、この状態で従業員は、上記ホッパー７にメダルを補充することができる。また、この場合、上方ドア４は閉止したままであり、上記リールユニット６等の遊技機１の内部機構は遊技者、第三者の目に触れることはない。
【００６２】
その後、ホッパー７へのメダル補充が完了した場合には、従業員は上記下方ドア５を筐体３方向へ直線的に押し戻すことにより、下方ドア５を閉止することができる。この場合、ホッパー７及び補助タンク９は、筐体３内において、下端部の当初の配置に復帰し、また、上記電源カバー１６は駆動電源部８を再度被覆する。
従って、この電源カバー１６の被覆により、駆動電源部８へ物理的に接触することは不可能となる。
【００６３】
【発明の効果】
本発明にあっては、遊技機が設置されたホールにおいて、必要な場合には、従業員は上方ドアと下方ドアとを独立して開閉することができるので、従来のように、遊技機の筐体の前面全体を被覆する所定の重量を有する大型のドアを開閉する必要はなく、上記リールユニットの保守等を行う必要があるような場合には、上方ドアのみを開けることにより保守作業を行うことができる。
その結果、重要な構成部品である駆動電源部を下方ドアにより被覆することができることから、防犯性の高い遊技機を提供することができる。
また、従業員がメダルの補充作業を行う必要がある場合には、上記下方ドアのみを開放することにより作業を行うことができ、日常的な遊技機へのメダル補充作業の際に、遊技機の筐体の内部全体が外部に露出されることがなく、上記リールユニットを上方ドアにより被覆した状態でメダル補充の作業を行うことができることから、防犯上非常に有利である。
また、本発明にあっては、メダル補充作業の際に、下方ドアを開いた場合には、同時にホッパー及び上記補助タンクが下方ドアと共に上記筐体の前面側に突出配置されることから、ホッパーが筐体よりも前面に配置された状態でメダルの補充作業を行うことができるため、限られた空間での従業員のメダル補充作業がより容易となって、メダルの補充作業を容易かつ迅速に行うことができる。
また、本発明に係る遊技機のフロントドアにあっては、従来の遊技機のフロントドアのように、筐体の左右いずれかの側に設けられたヒンジにより水平方向に回動して開閉操作するものではなく、遊技機の前方へ引き出すことにより下方ドアを開き、遊技機に向かって押すことにより閉止することができることから、メダル補充作業時に、従業員にとって容易にドアの開閉作業を行うことができる。
また、従来の遊技機のフロントドアとは異なり、フロントドアが遊技機前方において、ヒンジ部を中心に水平方向に回転する空間を必要としないことから、フロントドア回転に必要な遊技機前方の空間をより減少させることができることから、ホール側では遊技機前方における空間を有効に利用することが可能となる。
また、本発明の遊技機のフロントドアは、下方ドアを開放する際には、必ず、上方ドアは閉止されていることとなり、従業員のメダル補充作業の際には、必ず、上方ドアは閉止され、内部のリールユニットは外部からは視認されないので、日常的なホールにおけるメダル補充等による遊技機のフロントドアの開閉作業時において、より高い防犯性を確保することができる。
また、本発明にあっては、ホッパーへのメダル補充作業の際に、常時、大型のドアを開閉する必要はなく、小型の下方ドアのみを開閉すればよいことから、ドアの開閉作業も容易になり、遊技機の保守管理作業効率を向上させることができる。
【図面の簡単な説明】
【図１】本発明に係る遊技機のフロントドアの一実施の形態であって、全体の斜視図である。
【図２】本発明に係る遊技機のフロントドアの一実施の形態であって、上方ドアと下方ドアを筐体から分離した状態の斜視図である。
【図３】本発明に係る遊技機のフロントドアの一実施の形態であって、上方ドアの分解斜視図である。
【図４】本発明に係る遊技機のフロントドアの一実施の形態であって、下方ドアの分解斜視図である。
【図５】本発明に係る遊技機のフロントドアの一実施の形態であって、筐体の分解斜視図である。
【符号の説明】
１  遊技機
２  フロントドア
３  筐体
４  上方ドア
５  下方ドア
６  リールユニット
７  ホッパー
８  駆動電源部
９  補助タンク
１０ａ，１０ｂ，１０ｃ  ガイドレール
１１  フレーム部
１２  ストッパ部
１３ａ，１３ｂ，１３ｃ  リール
１４  主基板
１５  サブ基板
１６  電源カバー
１７ａ，１７ｂ，１７ｃ  スライダ
１８  操作部
１９ａ，１９ｂ，１９ｃ  操作ボタン
２０  スタートレバー
２１  メダル投入部
２２  化粧パネル
２３  メダル払出口
２４  メダル受皿
２５  灰皿
２６  スピーカー
２７  リール視認窓
２８  ディスプレイ
２９  ランプ
３０  表面パネル
３１  上部ベースパネル
３２  ランプ取付部材
３３  ディスプレイカバー
３４  上方フレーム
３５  ヒンジフレーム
３６  キーユニット
３７  操作パネル
３８  灰皿付きパネル
３９  メダル受皿付きパネル
４０  メダル払出口付きパネル
４１  下部ベースパネル
４２  キーユニット
４３ａ，４３ｂ  ヒンジ部
４５    本体部
４６    側方ガイド部
４７    前面取付板部
４８    底面板部
４９    固定枠パネル
５０    開口部
５１    両側面板
５２    両側面板
５３    下方ドア本体部
５４    開口部
５５    開口部
５６    パネル部材
５７    パネル部材
５８    ランプカバー部材
５９    上縁部
【図１】
2004298227.tif 000003
【図２】
2004298227.tif 000004
【図３】
2004298227.tif 000005
【図４】
2004298227.tif 000006
【図５】
2004298227.tif 000007